(57)【要約】【課題】本発明は、記録シートの損傷を抑制できるとともに、外観および作業性を向上させることが可能な固定構造や画像形成装置を提供することを課題とする。【解決手段】レーザプリンタは、プリンタ本体２と、プリンタ本体２の下側に配設される用紙供給装置３と、プリンタ本体２と用紙供給装置３とを連結して固定させる固定部材４とを備えている。固定部材４は、上下に分岐した二股形状の連結部４１と、上下に貫通した貫通孔が形成されたネジ止め部４２とを備えている。そして、連結部４１の一方の片４１ａが、本体側サイドフレーム２８に内側から係合するとともに、他方の片４１ｂが、供給側サイドフレーム３３に内側から係合した状態で、固定部材４のネジ止め部４２が、上フレーム３４に、上下方向へ捩じ込まれるネジＳで固定される。【選択図】図３
2008111864.tif 000002
【特許請求の範囲】
【請求項１】
第１の装置と、前記第１の装置の下側に配設される第２の装置と、前記第１の装置と前記第２の装置とを連結して固定させる固定部材とを備えた固定構造であって、
前記第１の装置および前記第２の装置は、それぞれフレームを備え、
前記固定部材は、
上下に分岐した二股形状の連結部と、
上下に貫通した貫通孔が形成されたネジ止め部とを備え、
前記連結部の二股に分かれた一方の片が、前記第１の装置のフレームに内側から係合するとともに、他方の片が、前記第２の装置のフレームに内側から係合した状態で、前記固定部材のネジ止め部が、前記第１の装置のフレームおよび前記第２の装置のフレームの少なくとも一方に、上下方向へ捩じ込まれるネジで固定されることを特徴とする固定構造。
【請求項２】
記録シートに所定の画像を形成する画像形成手段を有する画像形成装置本体と、前記画像形成装置本体の下側に配設される記録シート供給装置と、前記画像形成装置本体と前記記録シート供給装置とを連結して固定させる固定部材とを備えた画像形成装置であって、
前記画像形成装置本体は、
前記画像形成手段を支持する本体側フレームを備え、
前記記録シート供給装置は、
記録シートが収容される供給側記録シートトレイと、
前記供給側記録シートトレイを支持する供給側フレームとを備え、
前記固定部材は、
上下に分岐した二股形状の連結部と、
上下に貫通した貫通孔が形成されたネジ止め部とを備え、
前記連結部の二股に分かれた一方の片が、前記本体側フレームに内側から係合するとともに、他方の片が、前記供給側フレームに内側から係合した状態で、前記固定部材のネジ止め部が、前記本体側フレームおよび前記供給側フレームの少なくとも一方に、上下方向へ捩じ込まれるネジで固定されることを特徴とする画像形成装置。
【請求項３】
前記画像形成装置本体は、記録シートが収容される本体側記録シートトレイを着脱自在に備えるとともに、その本体側記録シートトレイを着脱するための着脱口が形成され、
前記供給側記録シートトレイは、前記記録シート供給装置に対して着脱自在に設けられ、
前記固定部材の前記ネジ止め部が、前記本体側記録シートトレイを取り外すことによって形成される空間に露出するように配設されていることを特徴とする請求項２に記載の画像形成装置。
【請求項４】
前記記録シートを両面印刷する際に使用する両面搬送機構が、前記本体側記録シートトレイの下側であって、前記両面搬送機構の前記着脱口側における端部が前記着脱口から前記着脱口とは反対側に所定距離だけ離れた位置にあるように、配設され、
前記固定部材が、前記両面搬送機構の前記着脱口側に配設されることを特徴とする請求項３に記載の画像形成装置。
【請求項５】
前記本体側フレームは、前記画像形成手段の両側に配設される一対の本体側サイドフレームと、前記一対の本体側サイドフレームの下端部同士を連結する底フレームとを有し、
前記供給側フレームは、前記供給側記録シートトレイの両側に配設される一対の供給側サイドフレームと、一対の供給側サイドフレームの上端部同士を連結する上フレームとを有したことを特徴とする請求項２〜請求項４のいずれか１項に記載の画像形成装置。
【請求項６】
前記ネジ止め部は、前記本体側フレームの底フレームまたは前記供給側フレームの上フレームに固定されることを特徴とする請求項５に記載の画像形成装置。
【請求項７】
前記連結部の一方の片が、前記本体側サイドフレームに形成された孔に係合し、他方の片が、前記供給側サイドフレームに形成された孔に係合することで、前記画像形成装置本体と前記記録シート供給装置とが連結されることを特徴とする請求項５又は請求項６に記載の画像形成装置。
【請求項８】
前記本体側サイドフレームおよび前記供給側サイドフレームの少なくとも一方が、金属を含んで構成されることを特徴とする請求項７に記載の画像形成装置。
【請求項９】
前記連結部の２つの片が、前記本体側フレームの底フレームと前記供給側フレームの上フレームとを挟み込むことで、前記画像形成装置本体と前記記録シート供給装置とが連結されることを特徴とする請求項５又は請求項６に記載の画像形成装置。
【請求項１０】
前記連結部は、前記本体側記録シートトレイを前記画像形成装置本体へ装着する方向に沿った方向で装着されることを特徴とする請求項９に記載の画像形成装置。
【発明の詳細な説明】
【技術分野】
【０００１】
本発明は、２つの装置を連結する固定構造や、画像形成装置本体の下側に記録シート供給装置が連結される画像形成装置に関する。
【背景技術】
【０００２】
一般に、レーザプリンタなどの画像形成装置は、その本体内に記録シートが収容される記録シートトレイを備えている。そして、このような画像形成装置では、その本体の下側に、前記した本体側記録シートトレイとは別のシートトレイを有した記録シート供給装置や、画像形成装置を搬送するための専用台などの補助的な機器が増設されることがある。
【０００３】
ただし、前記したような補助的な機器の上に単に画像形成装置本体を置いただけの状態であると、例えばこれらのユニットを一体的に搬送する際などにおいて、画像形成装置本体と補助的な部材との相対位置が正規の位置からずれてしまう可能性がある。このような問題に対する技術としては、従来、画像形成装置本体と補助的な部材（専用台）とを、画像形成装置の外側から連結板によって固定させるものがある（特許文献１参照）。具体的に、この技術では、連結板の一端を、画像形成装置本体の取っ手に係合させ、他端を専用台に水平方向にネジ止めすることで、両者を固定させている。
【０００４】
【特許文献１】実開昭６２−９４３３９号公報
【発明の開示】
【発明が解決しようとする課題】
【０００５】
しかしながら、上述の構成によると、画像形成装置本体の外側に連結板やネジが露出することで凹凸が形成されるので、この凹凸に記録シートが引っ掛かって損傷する可能性があった。また、画像形成装置本体の外側に連結板やネジが露出することで、外観が悪くなるといった問題もあった。さらに、上述の技術では、水平方向にネジ止めする構造であるため、上側から下側へ向けてネジ止めする構造に比べて、ネジ止めの作業性が悪いといった問題もあった。なお、この問題は、例えば記録シート供給装置が画像形成装置本体の下側に複数設置される場合において、各記録シート供給装置を前記した連結板で固定させる際にも生じることが予想される。
【０００６】
そこで、本発明は、記録シートの損傷を抑制することができるとともに、外観および作業性を向上させることが可能な固定構造および画像形成装置を提供することを課題とする。
【課題を解決するための手段】
【０００７】
前記課題を解決する本発明は、第１の装置と、前記第１の装置の下側に配設される第２の装置と、前記第１の装置と前記第２の装置とを連結して固定させる固定部材とを備えた固定構造であって、前記第１の装置および前記第２の装置は、それぞれフレームを備え、前記固定部材は、上下に分岐した二股形状の連結部と、上下に貫通した貫通孔が形成されたネジ止め部とを備え、前記連結部の二股に分かれた一方の片が、前記第１の装置のフレームに内側から係合するとともに、他方の片が、前記第２の装置のフレームに内側から係合した状態で、前記固定部材のネジ止め部が、前記第１の装置のフレームおよび前記第２の装置のフレームの少なくとも一方に、上下方向へ捩じ込まれるネジで固定されることを特徴とする。
【０００８】
なお、第１の装置として、例えば記録シートに所定の画像を形成する画像形成手段を有する画像形成装置本体を採用でき、第２の装置として、例えば記録シートが収容される供給側記録シートトレイを備えた記録シート供給装置を採用できる。さらには、記録シート供給装置が複数積まれる場合には、第１の装置と第２の装置をともに、記録シート供給装置としてもよい。
【０００９】
本発明によれば、第１の装置のフレームや第２の装置のフレームの内側から固定部材の連結部が係合することにより、固定部材がフレームの外側に露出して凹凸を形成することがない。そのため、記録シートの損傷を抑制することができるとともに、外観を向上させることができる。また、固定部材のネジ止め部に対してネジを上側から下側に捩じ込めばよいので、その作業性が向上する。
【発明の効果】
【００１０】
本発明によれば、固定部材がフレームの外に露出せず、かつ、ネジを上下に捩じ込むことで固定されるため、記録シートの損傷を抑制することができるとともに、外観および作業性を向上させることができる。
【発明を実施するための最良の形態】
【００１１】
＜レーザプリンタの全体構成＞
最初に、本発明の画像形成装置の一例としてのレーザプリンタの全体構成について簡単に説明する。参照する図面において、図１は本発明の画像形成装置の一例としてのレーザプリンタの一実施形態を示す側断面図であり、図２はレーザプリンタから本体側給紙トレイと供給側給紙トレイを引き出した状態を示す側断面図である。また、図３はレーザプリンタを手前側から見た正面図であり、図４は固定部材を示す斜視図である。
以降、図２の紙面に向かって「右側」および「左側」をそれぞれ「手前側」および「奥側」とし、図２の紙面に向って「上側」および「下側」をそれぞれ「上側」および「下側」とし、図２の紙面に向かって奥側から手前側へ向う側を「左側」とし、図２の紙面に向かって手前側から奥側へ向う側を「右側」とする。
【００１２】
図１および図２に示すように、レーザプリンタ１は、プリンタ本体２と、プリンタ本体２の下側に配設される用紙供給装置３と、プリンタ本体２と用紙供給装置３とを連結して固定させる固定部材４とを備えている。
【００１３】
＜プリンタ本体の構成＞
プリンタ本体２は、図２に示すように、用紙５に所定の画像を形成する画像形成部２１と、この画像形成部２１を支持する本体側フレーム２２と、用紙５が収容される本体側給紙トレイ２３と、両面搬送機構２４とを主に備えている。
【００１４】
画像形成部２１は、スキャナ部２５、プロセス部２６、定着部２７を主に備えている。なお、この画像形成部２１は、公知の構造であるため、その構造についての詳細な説明は省略するが、以下に作用のみを簡単に説明する。
【００１５】
画像形成部２１では、スキャナ部２５から出射されるレーザ光によって、プロセス部２６の感光ドラム２６Ａ上に画像データに基づく静電潜像が形成され、この静電潜像にトナーが供給されることで、感光ドラム２６Ａ上にトナー像が担持される。感光ドラム２６Ａに担持されたトナー像は、プリンタ本体２の手前側から搬送されてくる用紙５に転写された後、定着部２７によって熱定着されることで、用紙５に印刷される。ここで、本実施形態では、プロセス部２６が、４色のトナーが装填された４つのカートリッジを備えることによって、カラー印刷することが可能となっている。
【００１６】
本体側フレーム２２は、金属製の部品であり、図３に示すように、画像形成部２１の両側（右側および左側）に配設される一対の本体側サイドフレーム２８（片側のみ図示）と、これら一対の本体側サイドフレーム２８の下端部同士を連結する底フレーム（図示略）とを有している。そして、本体側サイドフレーム２８の下部の適所には、固定部材４が係合される係合孔２８ａが形成されている。係合孔２８ａは後述する空間Ａ１に露出する位置に形成されている。また、図２に示すように、本体側フレーム２２の手前側下部には、本体側給紙トレイ２３を着脱させるための着脱口２２ａが形成されている。そして、この着脱口２２ａの奥側上部（画像形成部２１の手前側下部）には、本体側給紙トレイ２３内の用紙５を画像形成部２１の手前側に向けて搬送する給紙機構の一部を構成する給紙ローラ２２ｂ等が配設されている。なお、本実施形態では、本体側フレーム２２を金属で構成したが、本発明はこれに限定されず、例えば樹脂や、金属と樹脂の組み合わせなどで構成してもよい。
【００１７】
図２に示すように、本体側給紙トレイ２３は、用紙５を収容するための収容部２３ａと、ユーザによって把持される把持部２３ｂとを主に備え、本体側フレーム２２の下部に形成される着脱口２２ａから水平方向に着脱自在に装着されている。より具体的には、本体側給紙トレイ２３は、着脱口２２ａから手前側へ引き出されることで本体側フレーム２２から取り外され、着脱口２２ａから奥側へ押し込まれることで本体側フレーム２２に装着される。そして、本体側給紙トレイ２３の把持部２３ｂには、本体側給紙トレイ２３の下面２３ｃよりも下方へ突出する突出壁２３ｄが形成されており、この突出壁２３ｄによって、固定部材４が隠されるようになっている。また、本体側給紙トレイ２３の収容部２３ａと把持部２３ｂとの間には、後述する両面搬送機構２４から送られてくる用紙５を上方（用紙５の搬送方向上流側）へ案内するための案内壁２３ｅが形成されている。
【００１８】
さらに、本体側給紙トレイ２３の収容部２３ａと把持部２３ｂとの間には、給紙機構の構成部品である給紙パット２３ｆ等が配設されており、本体側フレーム２２の給紙ローラ２２ｂ等と組み合わさることで、給紙機構が構成されるようになっている。また、本体側給紙トレイ２３をプリンタ本体２から取り外した際には、プリンタ本体２の下部に、所定の空間Ａ１が形成されるようになっている。
【００１９】
両面搬送機構２４は、複数の反転搬送ローラ２４Ａと、用紙５を上方へ案内する案内部２４Ｂとを備えて構成されている。また、両面搬送機構２４は、本体側給紙トレイ２３の下側であって、両面搬送機構２４の着脱口側（手前側）における端部が本体側給紙トレイ２３の着脱口２２ａから所定距離だけ着脱口側の反対側（奥側）へ離れた位置にあるように、配設されている。そして、この両面搬送機構２４は、定着部２７側から搬送されてきた用紙５がスイッチバック機構（不図示）により下方に向けて搬送されてくると、その用紙５を反転搬送ローラ２４Ａで挟持して、本体側給紙トレイ２３の下側においてプリンタ本体２の奥側から手前側へと搬送する。また、この両面搬送機構２４は、その案内部２４Ｂや本体側給紙トレイ２３の案内壁２３ｅを利用して再度画像形成部２１の手前側（用紙５の搬送方向上流側）に反転状態で戻す。
【００２０】
＜用紙供給装置の構成＞
用紙供給装置３は、用紙５が収容される供給側給紙トレイ３１と、この供給側給紙トレイ３１を支持する供給側フレーム３２とを主に備えている。
【００２１】
供給側給紙トレイ３１は、用紙５を収容するための収容部３１ａと、ユーザによって把持される把持部３１ｂとを主に備え、供給側フレーム３２に形成される着脱口３２ａから水平方向に着脱自在に装着されている。より具体的には、供給側給紙トレイ３１は、着脱口３２ａから手前側へ引き出されることで供給側フレーム３２から取り外され、着脱口３２ａから奥側へ押し込まれることで供給側フレーム３２に装着される。そして、供給側給紙トレイ３１の収容部３１ａと把持部３１ｂとの間には、収容部３１ａ内の用紙５を本体側給紙トレイ２３の案内壁２３ｅに向けて搬送する給紙機構の構成部品である給紙パット３１ｃ等が配設されている。また、供給側給紙トレイ３１を用紙供給装置３から取り外した際には、用紙供給装置３の下部に、所定の空間Ａ２が形成されるようになっている。
【００２２】
供給側フレーム３２は、金属製の部品であり、図３に示すように、供給側給紙トレイ３１の両側（右側および左側）に配設される一対の供給側サイドフレーム３３（片側のみ図示）と、これら一対の供給側サイドフレーム３３の上端部同士を連結する上フレーム３４（連結部分は図示略）とを有している。そして、供給側サイドフレーム３３の上部の適所には、固定部材４が係合される係合孔３３ａが形成されている。係合孔３３ａは、空間Ａ２に露出する位置に形成されている。また、上フレーム３４の適所には、固定部材４を上フレーム３４に固定するためのネジＳが捩じ込まれるネジ孔３４ａが上下方向に貫通するように形成されている。さらに、供給側フレーム３２の手前側上部には、給紙機構の構成部品である給紙ローラ３２ｂ等が配設されており、供給側フレーム３２に装着される供給側給紙トレイ３１の給紙パット３１ｃ等と組み合わさることで、給紙機構が構成されるようになっている。なお、本実施形態では、供給側フレーム３２を金属としたが、本発明はこれに限定されず、例えば樹脂や、金属と樹脂の組み合わせなどであってもよい。
【００２３】
＜固定部材の構成＞
固定部材４は、図４に示すように、上下に分岐した二股形状の連結部４１と、ネジ止め部４２と、連結部４１とネジ止め部４２とを繋ぐ中間部４３とを備えている。なお、この固定部材４は、金属板を切り曲げすることによって形成してもよいし、樹脂を用いた射出成形により形成してもよい。
【００２４】
連結部４１は、第１の片４１ａと、この第１の片４１ａの下方に対向するように配置される第２の片４１ｂと、これらの片４１ａ，４１ｂの基端部同士を連結する基部４１ｃとを備えている。そして、図３に示すように、連結部４１の第１の片４１ａは、プリンタ本体２の本体側サイドフレーム２８の係合孔２８ａに係合するとともに、第２の片４１ｂは、用紙供給装置３の供給側サイドフレーム３３の係合孔３３ａに係合するようになっている。そして、連結部４１は、基部４１ｃが、本体側給紙トレイ２３を取り外すことによって形成される空間Ａ１および供給側給紙トレイ３１を取り外すことによって形成される空間Ａ２に露出するように配されている。
【００２５】
ネジ止め部４２は、図３に示すように、略水平の板状に形成されており、その適所には、上下に貫通した貫通孔４２ａが形成されている。そして、このネジ止め部４２は、上フレーム３４の上面に配置されることで、本体側給紙トレイ２３を取り外すことによって形成される空間Ａ１に露出するようになっている。なお、上フレーム３４は、その上面が本体側給紙トレイ２３を取り外すことによって形成される空間Ａ１に露出するように配されている。
【００２６】
中間部４３は、連結部４１と一体に形成される横壁部４３ａと、ネジ止め部４２と一体に形成される縦壁部４３ｂとによって断面視略Ｌ字状に形成されている。そして、この中間部４３の縦壁部４３ｂによって、ネジ止め部４２と連結部４１の各片４１ａ，４１ｂとの上下方向の位置関係が規定されるようになっている。そして、中間部４３は、上フレーム３４の上面側に配置されることで、本体側給紙トレイ２３を取り外すことによって形成される空間Ａ１に露出するようになっている。
【００２７】
そして、以上のように構成される固定部材４は、図２に示すように、プリンタ本体２の両面搬送機構２４と着脱口２２ａとの間に配設される。詳しくは、固定部材４は、本体側給紙トレイ２３の下壁２３ｇおよび突出壁２３ｄと、両面搬送機構２４の着脱口２２ａ側における端部とによって囲まれる空間Ａ３内に配設される。なお、この固定部材４は、プリンタ本体２の手前側の左右両側に１つずつ設けられるのが望ましい。ここで、空間Ａ３は、本体側給紙トレイ２３が取り外された状態において空間Ａ１と連通している。
【００２８】
次に、本実施形態に係る固定部材４によるプリンタ本体２と用紙供給装置３との連結方法について説明する。
図３に示すように、まず、固定部材４の連結部４１の各片４１ａ，４１ｂを、プリンタ本体２の本体側サイドフレーム２８の係合孔２８ａと用紙供給装置３の供給側サイドフレーム３３の係合孔３３ａとに各サイドフレーム２８，３３の内側から係合させる。その後は、固定部材４のネジ止め部４２の貫通孔４２ａ（図４参照）と用紙供給装置３の上フレーム３４のネジ孔３４ａとを合わせてから、ネジＳを上から下へ捩じ込むことで、固定部材４によってプリンタ本体２と用紙供給装置３とが固定されることとなる。
【００２９】
以上によれば、本実施形態において以下のような効果を得ることができる。
固定部材４を各サイドフレーム２８，３３の内側から係合させる構造とすることで、固定部材４が外に露出することがないので、用紙５の損傷が抑制されるとともに、その外観が向上する。また、固定部材４に対してネジＳを上側から下側へ捩じ込むことでプリンタ本体２と用紙供給装置３とが固定されるため、作業性を向上させることができる。
【００３０】
固定部材４のネジ止め部４２が、本体側給紙トレイ２３を取り外すことによって形成される空間Ａ１に露出するように配設されているので、ユーザはその空間Ａ１を利用してネジ止め作業を簡単に行うことができる。
固定部材４のネジ止め部４２および中間部４３は、上フレーム３４の上面側に配置されることで、本体側給紙トレイ２３を取り外すことによって形成される空間Ａ１に露出するようになっている。そのため、そのネジ止め部４２および中間部４３を把持することで固定部材４をプリンタ本体２および用紙供給装置３に装着したり取り外したりすることが容易となる。
【００３１】
両面搬送機構２４を本体側給紙トレイ２３の下側に配設することにより形成された空間（両面搬送機構２４と着脱口２２ａとの間の空間）に、固定部材４を配設したので、スペースの有効利用を図ることができ、ひいては装置の小型化を図ることができる。
係合孔２８ａおよび係合孔３３ａは、それぞれ空間Ａ１、Ａ２に露出する位置に形成されている。そのため、係合孔２８ａおよび係合孔３３ａを目視して、固定部材４の連結部４１をそれらの孔に係合させることが容易となる。
【００３２】
本体側サイドフレーム２８と供給側サイドフレーム３３が金属製であるため、固定部材４との装着部の剛性が高くなり、プリンタ本体２と用紙供給装置３とを強固に固定することができる。
本体側給紙トレイ２３に、固定部材４を隠すための突出壁２３ｄが形成されているので、その外観をさらに向上させることができる。
【００３３】
なお、本発明は前記実施形態に限定されることなく、以下に例示するように様々な形態で利用できる。
前記実施形態では、第１の装置の一例としてプリンタ本体２を採用し、第２の装置の一例として用紙供給装置３を採用したが、本発明はこれに限定されるものではない。例えば、プリンタ本体２の下側に複数の用紙供給装置３を設置する場合には、第１の装置として上側に配置される用紙供給装置３を採用し、この用紙供給装置３の下側に配置される用紙供給装置を第２の装置として採用してもよい。
【００３４】
前記実施形態では、記録シートの一例として用紙５を採用したが、本発明はこれに限定されず、例えばＯＨＰシート等であってもよい。
前記実施形態では、固定部材４のネジ止め部４２を、本体側給紙トレイ２３を取り外すことによって形成されるプリンタ本体２内の空間Ａ１に露出するように配設したが、本発明はこれに限定されるものではない。例えば、ネジ止め部４２は、空間Ａ１以外の場所（例えば、図３のサイドフレーム２８の外側であって、プリンタ本体２の外壁よりも内側の空間）に配設してもよい。この場合であっても、ネジＳを上側から下側へ捩じ込むことができるので、その作業性を向上させることができる。
【００３５】
前記実施形態では、固定部材４のネジ止め部４２を用紙供給装置３の上フレーム３４に固定させたが、本発明はこれに限定されるものではない。例えば、図５に示すように、プリンタ本体２の一対の本体側サイドフレーム２８の下端部同士を連結する底フレーム２９に、固定部材４のネジ止め部４２を固定させてもよい。さらに、ネジＳは、プリンタ本体の底フレーム２９と用紙供給装置３の上フレーム３４の両方に結合させるようにしてもよい。
【００３６】
前記実施形態では、固定部材４の連結部４１の２つの片４１ａ，４１ｂを、本体側サイドフレーム２８および供給側サイドフレーム３３の各係合孔２８ａ，３３ａに係合させることでプリンタ本体２と用紙供給装置３とを連結させたが、本発明はこれに限定されるものではない。例えば、図６に示すように、固定部材４の連結部４１の２つの片４１ａ，４１ｂで、プリンタ本体２の底フレーム２９と用紙供給装置３の上フレーム３４とを挟み込むことで、両者を連結するようにしてもよい。
【００３７】
なお、この場合は、図６に示すように、固定部材４の連結部４１が、装置の手前から奥側へ向かう方向（給紙トレイ２３，３１を装着する方向）に沿った方向で装着されるのが好ましい。これによれば、固定部材４を手前から奥に向けて差し込むだけで、連結部４１を底フレーム２９と上フレーム３４に簡単に係合させることができるので、その作業性を向上させることができる。また、この場合において、固定部材４のネジ止め部４２は、例えば図６に示すような用紙供給装置３の上フレーム３４に形成した固定部３４ｂなどに固定すればよい。
【００３８】
前記実施形態では、連結部４１とネジ止め部４２の間に中間部４３を設けたが、本発明はこれに限定されず、例えば連結部４１とネジ止め部４２とを直接連結してもよい。
前記実施形態では、固定部材４を係合させるための孔として各サイドフレーム２８，３３に貫通させた係合孔２８ａ，３３ａを採用したが、本発明はこれに限定されず、例えば有底筒状の穴を採用してもよい。
前記本実施形態では、画像形成装置の一例として、カラーレーザプリンタを挙げたが、モノクロレーザプリンタやインクジェットプリンタなどであってもよい。
【図面の簡単な説明】
【００３９】
【図１】本発明の画像形成装置の一例としてのレーザプリンタの一実施形態を示す側断面図である。
【図２】レーザプリンタから本体側給紙トレイと供給側給紙トレイを引き出した状態を示す側断面図である。
【図３】レーザプリンタを手前側から見た正面図である。
【図４】固定部材を示す斜視図である。
【図５】固定部材のネジ止め部をプリンタ本体の底フレームに固定した構造を示す正面図である。
【図６】プリンタ本体の底フレームと用紙供給装置の上フレームとを、固定部材の連結部で挟持した形態を示す斜視図である。
【符号の説明】
【００４０】
１      レーザプリンタ
２      プリンタ本体（第１の装置）
３      用紙供給装置（第２の装置）
４      固定部材
５      用紙
２１    画像形成部
２２    本体側フレーム
２２ａ  着脱口
２３    本体側給紙トレイ
２４    両面搬送機構
２８    本体側サイドフレーム
２８ａ  係合孔
２９    底フレーム
３１    供給側給紙トレイ
３２    供給側フレーム
３２ａ  着脱口
３３    供給側サイドフレーム
３３ａ  係合孔
３４    上フレーム
３４ａ  ネジ孔
４１    連結部
４１ａ  第１の片
４１ｂ  第２の片
４１ｃ  基部
４２    ネジ止め部
４２ａ  貫通孔
Ａ１    空間
Ｓ      ネジ
【図１】
2008111864.tif 000003
【図２】
2008111864.tif 000004
【図３】
2008111864.tif 000005
【図４】
2008111864.tif 000006
【図５】
2008111864.tif 000007
【図６】
2008111864.tif 000008